(57)【要約】【課題】広告主が広告の作成する余地をユーザに提供できるようにしたウェブサイトの広告デザイン募集システム、広告デザイン募集方法、プログラムおよびコンピュータ読取可能記録媒体を提供する。【解決手段】広告主５はコンピュータを操作してウェブサイト１の広告コンテンツ３に広告デザインの募集と応募要領とを提示し、ユーザ６はその応募要領に基づいて広告デザインを製作し、ウェブサイト１のデザインされた広告４を広告コンテンツ３として公開する。広告主５はデザインされた広告を評価してユーザ６に報奨金を支払う。【選択図】図１
2008165345.tif 000002
【特許請求の範囲】
【請求項１】
ネット回線を介してウェブサイト上で広告のデザインを募集するウェブサイトの広告デザイン募集システムであって、
それぞれが前記ネット回線に接続され、広告主によって操作される広告主コンピュータと、ユーザによって操作されるユーザコンピュータとを含み、
前記広告主コンピュータは、
前記広告主の指示に応じて、前記ネット回線を介して、所定のコンテンツに広告デザイン募集の案内を提示する案内提示手段と、
広告デザイン募集の案内提示に応じてデザインされた広告が前記ウェブサイトに応募されてきたことに応じて、そのデザインされた広告を広告コンテンツとして公開する広告公開手段とを備え、
前記ユーザコンピュータは、
前記ユーザが操作することにより、前記広告デザイン募集の案内提示に応じてデザインされた広告を製作する広告製作手段と、
前記広告製作手段により製作されたデザインの広告コンテンツを前記ウェブサイトに出力する出力手段とを備える、ウェブサイトの広告デザイン募集システム。
【請求項２】
前記案内提示手段は、前記広告デザイン募集とともに応募要領を提示する、請求項１に記載のウェブサイトの広告デザイン募集システム。
【請求項３】
前記案内提示手段は、前記広告デザイン募集の案内に応じてきたユーザに対して、応募要領を提示する、請求項１に記載のウェブサイトの広告デザイン募集システム。
【請求項４】
前記広告製作手段は、前記案内提示手段によって提示された応募要領に応じて広告デザインを製作する、請求項２または３に記載のウェブサイトの広告デザイン募集システム。
【請求項５】
前記所定のコンテンツは、インターネットサービスのコンテンツである、請求項１から４のいずれかに記載のウェブサイトの広告デザイン募集システム。
【請求項６】
前記所定のコンテンツは、ソーシャルネットワークサービスのコンテンツである、請求項１から４のいずれかに記載のウェブサイトの広告デザイン募集システム。
【請求項７】
ネット回線を介してウェブサイト上で広告のデザインを募集するウェブサイトの広告デザイン募集方法であって、
前記ネット回線を介して、所定のコンテンツに広告デザイン募集の案内と応募要領とを提示するステップと、
前記募集要領に応じてユーザがデザインした広告を応募してきたときに、そのデザインした広告コンテンツを公開するステップとを備える、ウェブサイトの広告デザイン募集方法。
【請求項８】
それぞれが前記ネット回線に接続された広告主コンピュータとユーザコンピュータとを請求項１から６のいずれかに記載のウェブサイトの広告デザイン募集システムとして機能させるためのプログラム。
【請求項９】
請求項８に記載されたプログラムを格納したコンピュータ読取可能記録媒体。
【発明の詳細な説明】
【技術分野】
【０００１】
この発明は、例えばインターネットに基づくウェブサイトに表示する広告を募集するウェブサイトの広告デザイン募集システム、広告デザイン募集方法、プログラムおよびコンピュータ読取可能記録媒体に関する。
【背景技術】
【０００２】
ネットワーク技術の進歩によりインターネットを介して情報の伝達が活発になってきており、ウェブサイト内におけるコンテンツに関連して広く広告が掲載されている。このような広告は、ウェブサイト内に広告を掲載することにより、広告主から広告料を徴収することで成立している。また、ウェブサイトの広告には、単に宣伝だけでなく、クリックすることで広告主のウェブサイトにリンクするバナー広告が存在する。
【０００３】
広告主側から見た場合、ウェブサイトの広告は、閲覧されるだけでなく、特に、バナー広告の場合はアクセスされてこそ意味を持つものである。このために、広告主はインプレッション効果（注目率）およびレスポンス効果（クリック率）に留意して広告を提供する必要がある。ところが、現状の広告の位置付けは、メインコンテンツに対するサブコンテンツになっているに過ぎない。このため、広告効果に限界がある。
【０００４】
近年では、上記問題を解決するために、掲載される記事の内容に連動して、関連のある広告が自動的に掲載されるコンテンツマッチング技術を採用するなどして、インプレッション効果の精度向上が図られている。しかし、連動が適切であると言えないケースもあり、自動化にも限界がある。
【０００５】
一方、ウェブコンテンツ保有者や閲覧者などのユーザ側から見た場合、ウェブサイト内の広告はサイトデザインを損なう存在と捉えられている場合も少なくない。また、閲覧者にとっても広告が目障りだという認識がある。上記コンテンツマッチングにより広告がメインコンテンツに連動することで上記の不満は多少解消されるが、ウェブコンテンツの保有者が広告の内容や体裁をコントロールできるわけではない。さらに、上記したように連動が適切でない場合もある。
【０００６】
特開２００６−２８５９７９号公報（特許文献１）には、コンテンツを変更することなく広告などの補足情報をコンテンツに関連付けて提供するシステムについて記載されている。
【特許文献１】特開２００６−２８５９７９号公報
【発明の開示】
【発明が解決しようとする課題】
【０００７】
しかし、特許文献１におけるシステムにおいては、ユーザ自身が直接広告の掲載に関与できるものではない。
【０００８】
そこで、この発明の目的は、広告主が広告の作成する余地をユーザに提供できるようにしたウェブサイトの広告デザイン募集システム、広告デザイン募集方法、プログラムおよびコンピュータ読取可能記録媒体を提供することである。
【課題を解決するための手段】
【０００９】
この発明は、ネット回線を介してウェブサイト上で広告のデザインを募集するウェブサイトの広告デザイン募集システムであって、それぞれがネット回線に接続され、広告主によって操作される広告主コンピュータと、ユーザによって操作されるユーザコンピュータとを含み、広告主コンピュータは、広告主の指示に応じて、ネット回線を介して、所定のコンテンツに広告デザイン募集の案内を提示する案内提示手段と、広告デザイン募集の案内提示に応じてデザインされた広告がウェブサイトに応募されてきたことに応じて、そのデザインされた広告を広告コンテンツとして公開する広告公開手段とを備え、ユーザコンピュータは、ユーザが操作することにより、広告デザイン募集の案内提示に応じてデザインされた広告を製作する広告製作手段と、広告製作手段により製作されたデザインの広告コンテンツをウェブサイトに出力する出力手段とを備える。
【００１０】
広告主はユーザに対して広告のデザインする機会を与えることができ、ユーザはクリエータの活動の場が与えられ、新たな才能の発掘が期待できる。
【００１１】
好ましくは、案内提示手段は、広告デザイン募集とともに応募要領を提示する。
【００１２】
好ましくは、案内提示手段は、広告デザイン募集の案内に応じてきたユーザに対して、応募要領を提示する。応募要領を提示することにより、広告主が要求している広告デザインを入手できる。
【００１３】
好ましくは、広告製作手段は、案内提示手段によって提示された応募要領に応じて広告デザインを製作する。広告主の要求に応じた広告デザインを製作できる。
【００１４】
好ましくは、所定のコンテンツは、インターネットサービスのコンテンツである。インターネットを介して広く広告の募集をでき、公開された広告デザインを一般のユーザが閲覧して評価することができる。
【００１５】
好ましくは、所定のコンテンツは、ソーシャルネットワークサービスのコンテンツである。ソーシャルネットワークサービスでデザインした広告を公開できるので、公開された広告デザインを各ユーザが閲覧して評価することができ、横のつながりの大きいユーザ相互の交流を深めることができる。
【００１６】
この発明の他の局面は、ネット回線を介してウェブサイト上で広告のデザインを募集するウェブサイトの広告デザイン募集方法であって、ネット回線を介して、所定のコンテンツに広告デザイン募集と応募要領との案内を提示するステップと、募集要領に応じてユーザがデザインした広告を応募してきたときに、その広告を所定のコンテンツで公開するステップとを備える。
【００１７】
この発明のさらに他の局面は、プログラムであって、それぞれがネット回線に接続された広告主コンピュータとユーザコンピュータとをウェブサイトの広告デザイン募集システムとして機能させる。
【００１８】
この発明のさらに他の局面は、前記プログラムを格納したコンピュータ読取可能記録媒体である。
【発明の効果】
【００１９】
この発明によれば、ウェブサイトに広告デザインの募集を提示し、ユーザが広告デザインの募集に応募すると、ユーザはその応募に応じて広告デザインを製作し、デザインした広告をウェブサイト上で公開するようにしたので、広告主は広告の作成する余地をユーザに提供できる。
【発明を実施するための最良の形態】
【００２０】
図１はこの発明の一実施形態におけるウェブサイトの広告デザイン募集システムの概要を説明するための図である。図１において、例えば、インターネットサービスのウェブサイト１には、メインコンテンツ２と、バナー広告などの広告コンテンツ３とが掲載されている。メインコンテンツ２は、例えばウェブコンテンツ保有者や、インターネットサービスを運営するプロバイダや、ＳＮＳ（ソーシャルネットワーキングサイト）の会員から提供される。
【００２１】
ＳＮＳは、人と人とのつながりを促進・サポートする、コミュニティ型のウェブサイトであり、友人・知人間のコミュニケーションを円滑にする手段や場を提供したり、趣味や嗜好、居住地域、出身校、あるいは「友人の友人」といったつながりを通じて新たな人間関係を構築したりする場を提供する、会員制のサービスである。
【００２２】
広告コンテンツ３には、企業などの広告主５による商品やサービスなどの広告が掲載される。この発明の一実施形態では、広告主５は必要に応じて広告コンテンツ３で広告のデザイン募集の提示を行う。広告のデザイン募集には応募要領が含まれている。なお、広告コンテンツに広告のデザイン募集のリンク先を設けておき、そのリンク先をマウスでクリックしたりカーソルで指示することにより広告のデザイン募集の案内と応募要領とを表示できるようにしてもよい。さらに、例えば、自転車や自動車などの複数の広告のデザイン募集案内を表示するようにしてもよい。
【００２３】
ユーザ６は、自分のコンピュータ画面からウェブサイトを閲覧して広告コンテンツ３の広告のデザイン募集の掲載を見る。ユーザが例えばクリエータで広告のデザインを試みたいと思ったときには、広告コンテンツ３をマウスによりクリックしたりカーソルなどで指示したりすることにより広告のデザイン募集に応募する。複数の広告デザイン募集が表示されているときは所望の広告デザイン募集を選択すればよい。ユーザ６は広告コンテンツ３の広告のデザイン募集をクリックすることにより、自己のコンピュータでデザイン募集の応募要領を取得することができる。デザイン募集の応募要領とは、広告しようとする商品やサービスなどのセールスポイント、ロゴ、商品名などの広告をデザインするのに必要と思われる情報である。
【００２４】
ユーザ６は、広告のデザイン募集応募要領に応じて、広告４をデザインして製作し、デザインした広告４をウェブサイト１に送り、広告コンテンツ３として公開する。広告主５は広告コンテンツ３のデザインされた広告４を評価し、採用を決めると応募したユーザ６に対して報奨金を支払う。なお、デザインされた広告は、広告主５のみならず、他のユーザも評価してその評価内容をメインコンテンツ２などに書込むことができるようにしておけば、広告主５は他のユーザの評価も参考にして、そのデザインされた広告４を採用するかを決定することができる。
【００２５】
このように、ユーザ６が広告のデザインに参加することができるので、広告主５にとってもユーザ６にとっても、双方に利益をもたらすことができる。すなわち、広告主５は、従来のバナー広告以上のインプレッション効果やレスポンス効果を期待できる。ユーザ６により広告がデザインされるので、専門家に広告デザインの作成を依頼する場合に比べて経費削減を期待できる。広告主５が応募要領として提示したセールスポイント以外にも、ユーザ６側から付与された外的価値によって予想外の効果を得られる可能性を期待できる。
【００２６】
一方、ユーザ６側においても、優れたクリエータであれば、広告主５の提示するセールスポイントさえ踏まえていれば、自分たちで広告を作成できるので、クリエータの活動の場が与えられ、新たな才能の発掘が期待できる。
【００２７】
さらに、従来までサブコンテンツの地位に甘んじていた広告コンテンツ３がメインコンテンツ２になり得るという、広告のあり方自体の変革も期待できる。
【００２８】
図２はこの発明の一実施形態におけるウェブサイトの広告デザイン募集システムの概略ブロック図である。図２において、ウェブサイトの広告デザイン募集システムは、図１に示した広告主５が操作するコンピュータ１０と、ユーザ６が操作するコンピュータ２０と、コンピュータ１０，２０が接続されるインターネット回線３０と、インターネット回線３０に接続されるサーバ４０とを含む。
【００２９】
コンピュータ１０は、制御部１１と、入力部１２と、メモリ１３と、表示部１４と、出力部１５とを含む。入力部１２はキーボードやマウスなどを含み、メモリ１３はハードディスクなどを含む。表示部１４は、例えば液晶表示器によって構成されており、出力部１５は、例えばプリンタなどを含む。コンピュータ１０は、広告主５の指示に応じて、インターネット回線３０を介して広告コンテンツ３に広告デザインの募集を案内する案内提示手段と、広告デザイン募集の案内提示に応じてデザインされた広告４がウェブサイト１に応募されてきたことに応じて、そのデザインされた広告４を広告コンテンツ３で公開する広告公開手段として作動する。
【００３０】
コンピュータ２０もコンピュータ１０と同様にして構成されており、制御部２１と、入力部２２と、メモリ２３と、表示部２４と、出力部２５とを含む。コンピュータ２０は、ユーザ６が操作することにより、広告デザイン募集の案内提示に応じてデザインされた広告４を製作する広告製作手段と、広告製作手段により製作された広告デザインをウェブサイトに出力する出力手段と手段として作動する。
【００３１】
サーバ４０は、例えば広告主５やＳＮＳの会員のウェブサイト１を有しており、そのウェブサイト１にメインコンテンツ２と広告コンテンツ３とが掲載される。広告主５がコンピュータ１０からそのウェブサイト１にアクセスすることにより、広告コンテンツ３に広告を掲載したり、広告デザインの募集および募集要領などを掲載したりすることができる。
【００３２】
図３はこの発明の一実施形態におけるウェブサイトの広告デザイン募集システムの動作を説明するためのフローチャートであり、（Ａ）は広告主５のコンピュータ１０の動作を示し、（Ｂ）はユーザ６のコンピュータ２０の動作を示す。
【００３３】
図１に示した広告主５は、コンピュータ１０の入力部１２を操作してインターネットに接続し、自分のウェブサイト１をコンピュータ１０の表示部１４に表示するためにＵＲＬ（ユニフォームリソースロケータ）を指定する。コンピュータ１０は、図３（Ａ）に示すステップ（図示ではＳＰと略称する。）ＳＰ１において、入力部１２からの入力に応じて、インターネット回線３０を介して制御部１１をサーバ４０に接続する。制御部１１は、ステップＳＰ２において、サーバ４０からデータをダウンロードしてウェブサイト１を表示部１４に表示する。
【００３４】
広告主５は、広告デザイン募集ページを作成するために入力部１２の所定のキー操作を行う。制御部１１は、ステップＳＰ３において、キー操作に応じた広告デザイン募集ページのフォームを作成する。広告主５は、デザイン募集掲載に対してユーザ５が応募するのに使用する、広告のデザイン募集応募要領に対応した応募要領を作成するためにキー操作を行う。制御部１１は、ステップＳＰ４において、キー操作に応じた応募要領を作成する。広告主５は、広告デザイン募集ページと応募要領をサーバ４０に送信するためにキー操作を行う。制御部１１は、ステップＳＰ５において、そのキー操作に応じて、広告デザイン募集ページと応募要領をサーバ４０にアップロードする。制御部１１は、ステップＳＰ６において、ユーザ６が広告コンテンツ３にアクセスしてくるまで待機する。
【００３５】
一方、ユーザ６は、コンピュータ２０の入力部２２を操作してインターネットに接続し、ＵＲＬを指定してウェブサイト１にアクセスする。制御部１１は、ステップＳＰ２１において、入力部２２からの入力に応じて、インターネット回線３０を介して制御部２１をサーバ４０に接続する。制御部２１はステップＳＰ２２において、サーバ４０からダウンロードされてくるウェブサイト１のメインコンテンツ２と、広告コンテンツ３とを表示部２４に表示する。
【００３６】
ユーザ６は広告コンテンツ３を見て広告デザインを募集していることを知り、広告デザインの作成に応募したいと判断すると、広告コンテンツ３をマウスでクリックし、自分の名前などを入力する。制御部２１は、ステップＳＰ２３において、広告募集に応募したユーザ名などをサーバ４０にアップロードして、広告募集ページにアクセスする。このアクセスによって、ユーザ６は応募要領を知ることができる。
【００３７】
ユーザ６は応募要領にしたがって、作画ソフトなどを使用して広告をデザインして製作する。制御部２１はステップＳＰ２４において、広告がデザインされたか否かを判別しており、ユーザ６が広告デザインの製作の終了を指示すると、ステップＳＰ２７において、デザインされた広告４をサーバ４０にアップロードする。
【００３８】
広告主５のコンピュータ１０の制御部１１は、デザインされた広告４がサーバ４０にアップロードされたことを判別すると、ステップＳＰ７において、そのデザインされた広告４を表示部１４に表示する。
【００３９】
上述のごとく、この実施形態によれば、広告のデザインをユーザ６が関与できるようにしたので、広告主５は従来の広告に比べて、より効果的な宣伝効果を得ることができ、広告作成費用の削減および広告コンテンツ３の保有を図ることができる。また、広告デザインの優れたクリエータを見つけ出すのも容易になる。ユーザ６側にとっても広告主５からの報奨金を得ることができ、広告を作成することで広告主５に自分を売り込むチャンスが増えるので、ビジネスチャンスを確保できる。
【００４０】
さらに、ＳＮＳの場合には、コラボレーション・パートナーを確保でき、ネットワーク上にデータを設置することによって、データの共有が容易になるため、ネットワーク利用者同士での連携による共同作業がスムーズに行える。
【００４１】
図４はこの発明の一実施形態におけるウェブサイトの広告デザイン募集システムによりクリエータによってデザインされた広告コンテンツを表示したＳＮＳによる画面の一例を示す図である。
【００４２】
ＳＮＳにおけるウェブサイト１は、図４に示すようにメインコンテンツ２と、広告コンテンツ３と、メインコンテンツ２を提供したＸさんの絵柄６と、Ｘさんの友人Ａ〜Ｆさんの絵柄７が表示されている。広告コンテンツ３には、Ｘさんがデザインした自転車の広告が表示されている。
【００４３】
Ｘさんの友人Ａ〜Ｆは、Ｘさんのデザインした自転車を批評してメインコンテンツ２に書込みを行う。デザインしたＸさんは自分のしたデザインに対して、友人の友人といったつながりを通じて評価を受けることができる。この例では、広告コンテンツ３を単なるサブコンテンツではなくメインコンテンツとして成立させることができる。
【００４４】
図５はウェブサイト１の広告コンテンツ募集サイト３ｅに複数の広告募集要領３ｃ，３ｄを掲載して、複数のクリエータが広告のデザインに応募する例を示す図である。図５において、ウェブサイト１の広告コンテンツ募集サイト３ｅには、広告主５ａ，５ｂが提示した例えば２つの広告募集要領３ｃ，３ｄが掲載されている。このウェブサイト１を複数のユーザ６ａ〜６ｇが閲覧し、そのうちのユーザ６ａ，６ｂがクリエータとして広告デザインに応募したものとする。ユーザ６ａ，６ｂは広告デザインを製作して広告コンテンツ３ａ，３ｂを公開する。他の一般消費者であるユーザ６ｃ，６ｅ，６ｇや、クリエータであるユーザ６ｄ，６ｅは、公開された広告デザインを閲覧して、評価をウェブコンテンツ１に書込む。
【００４５】
この例では、ユーザ６ａ，６ｂがデザインして公開した広告を複数のユーザ６ｃ〜６ｇが公開された広告デザインを閲覧して評価するので、横のつながりの大きいユーザ相互の交流を深めることができ、ユーザ６ａ，６ｂはコラボレーション・パートナーを確保できる。
【００４６】
なお、この発明のウェブサイトの広告デザインシステムは、それぞれがインターネット回線３０に接続された広告主５のコンピュータ１０と、ユーザ６のコンピュータ２０とを図３に示したフローチャートに基づくプログラムを実行させることにより実現できる。
【００４７】
また、このプログラムは、光ディスクのような読取可能記録媒体に格納してもよい。
【００４８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４９】
この発明のウェブサイトの広告デザイン募集システム、広告デザイン募集方法、プログラムおよびコンピュータ読取可能記録媒体は、ＳＮＳの収益モデルなどに利用できる。
【図面の簡単な説明】
【００５０】
【図１】この発明の一実施形態におけるウェブサイトの広告デザイン募集システムの概要を説明するための図である。
【図２】この発明の一実施形態におけるウェブサイトの広告デザイン募集システムの概略ブロック図である。
【図３】この発明の一実施形態におけるウェブサイトの広告デザイン募集システムの動作を説明するためのフローチャートである。
【図４】クリエータによってデザインされた広告コンテンツを表示したＳＮＳのウェブサイトの画面の一例を示す図である。
【図５】この発明のウェブサイトの広告デザイン募集システムを利用する複数の広告主と複数のユーザとの関係を示す図である。
【符号の説明】
【００５１】
１  ウェブサイト、２  メインコンテンツ、３，３ａ，３ｂ  広告コンテンツ、３ｃ，３ｄ  広告募集要領、３ｅ  広告コンテンツ募集サイト、４  デザインされた広告、５，５ａ，５ｂ  広告主、６，６ａ〜６ｇ  ユーザ、１０，２０  コンピュータ、１１，２１  制御部、１２，２２  入力部、１３，２３  メモリ、１４，２４  表示部、１５，２５  出力部、３０  インターネット回線、４０サーバ。
【図１】
2008165345.tif 000003
【図２】
2008165345.tif 000004
【図３】
2008165345.tif 000005
【図４】
2008165345.tif 000006
【図５】
2008165345.tif 000007